(57)【特許請求の範囲】
【請求項１】
投入硬貨の正偽および正貨の金種を判別する硬貨判別手段と、
判別された正貨を金種別に格別の硬貨通路へ振り分ける複数の金種振分手段と、
該少なくとも１つの硬貨通路の下流に配設され、該少なくとも１つの硬貨通路に案内された複数枚の硬貨を一時保留する硬貨保留手段と、
該硬貨保留手段の下流に配設され、前記硬貨保留手段から落下する硬貨を積載収容するコインチューブからなる硬貨収容手段とを具えた硬貨処理装置において、
前記硬貨保留手段は保留した複数枚の硬貨を一枚ずつ間欠的に落下させる硬貨保留レバーからなり、
また該硬貨保留手段の下流には、前記硬貨保留レバーにより一枚ずつ落下する硬貨を、返却通路と硬貨収容手段側へ振り分ける第１の硬貨振り分けレバーが配設され、
さらに、該第１の硬貨振り分けレバーの下流には、該第１の硬貨振り分けレバーにより前記硬貨収容手段側へ振分られた硬貨を、該硬貨収容手段と金庫とへ振り分ける第２の硬貨振り分けレバーが配設されるとともに、
前記一時保留手段へ保留された複数枚の硬貨のうち収容すべき硬貨の枚数を決定し、該収容すべき枚数の硬貨のみを硬貨収容手段側へ振り分けるように前記第１の硬貨振分けレバーにより硬貨を振り分け、前記硬貨収容手段に予め設定された蓄積枚数に基づいて、該硬貨収容手段側へ振分けられた硬貨を金庫側へ振分けるように前記第２の硬貨振分けレバーにより硬貨を振分け制御する制御装置を備えたことを特徴とする硬貨処理装置。
【発明の詳細な説明】
【０００１】
【発明の属する技術分野】
この発明は自動販売機、両替機、サービス機器等に使用され、投入硬貨を金種別に選別収容するとともに、選別収容された硬貨を釣銭として払い出す硬貨処理装置に関する。
【０００２】
【従来の技術】
自動販売機、両替機、サービス機器等には、従来から投入硬貨を金種別に選別収容するとともに、この選別収容された硬貨を釣銭として払い出す硬貨処理装置が装着されている。
【０００３】
このような硬貨処理装置は大別すると以下の４つの部分から構成されている。
（１）硬貨処理装置の筐体を構成する装置本体。
【０００４】
（２）この装置本体の最上部に配設され、投入硬貨の正偽と正貨を金種別に選別する硬貨選別部。
【０００５】
（３）この硬貨選別部の下方に位置する前記装置本体内に配設され、この硬貨選別部により金種別に選別された正貨をそれぞれ金種別に蓄積収容する複数のコインチューブからなる硬貨収容部。
【０００６】
（４）この硬貨収容部の下方に位置する前記装置本体内に配設され、前記硬貨収容部内に収容された正貨を釣り銭として払い出す硬貨払出部。
【０００７】
一方、このような構造の硬貨処理装置を装着した自動販売機では、例えば、商品購入者が商品を購入すべく硬貨を投入した後、何等かの理由でその商品購入を停止し、硬貨の返却を希望する場合は、自動販売機に配設された硬貨返却レバーを操作する。
【０００８】
すると、硬貨処理装置は、投入金額と同額の硬貨を硬貨返却口に返却するので、投入硬貨の返却を希望する商品購入者は、その硬貨返却口に返却された硬貨を回収すれば良いこととなる。
【０００９】
ところで、上述した一般の硬貨処理装置では、このような硬貨の返却処理は、硬貨返却レバーの操作に基づき、硬貨払出部によって投入硬貨と同額の硬貨を硬貨収容部から硬貨返却口へ払い出すことにより行われている。
【００１０】
即ち、一般の硬貨処理装置では、硬貨の返却処理を行う場合、商品購入者が投入した投入硬貨そのものを硬貨返却口へ払い出すのではなく、予め硬貨収容部に収容された正貨のうち、投入金額に相当する額の硬貨を硬貨返却口へ払い出すようにしている。
【００１１】
このように、従来の硬貨処理装置では、投入硬貨を返却する場合、現実に投入された投入硬貨そのものを払出すのではなく、硬貨収容部に予め収容された硬貨の中から投入硬貨の額と同額の硬貨を払出すようにしているから、例えば、硬貨選別部により正貨と見做されるほど精巧な偽造硬貨（偽貨）が、硬貨処理装置内に投入された後、商品を購入すること無く、硬貨返却レバーを操作した場合は、偽造硬貨が投入されたにもかかわらず、投入金額に相当する額の正貨が硬貨返却口へ払い出され、このため、いわゆる硬貨のすり替え現象が発生する。
【００１２】
このような、硬貨のすり替え現象を防止するため、従来では特開平１１−２８８４８０号公報に開示されているように、正貨と見做された硬貨を金種別に振り分ける複数の金種振り分けレバーが配設された硬貨選別通路の下流端、即ち金種別に硬貨が最終的に振分案内される硬貨通路の下流端に硬貨保留レバーを配設するとともに、この硬貨保留レバーで投入硬貨を一時保留し、これにより商品を購入することなく硬貨返却レバーが操作された場合は、その硬貨保留レバーによる投入硬貨の一時保留を解除して、当該投入硬貨そのものを硬貨返却口へ払い出す硬貨処理装置、すなわち、いわゆる現物硬貨返却式硬貨処理装置が提案されている。
【００１３】
この特開平１１−２８８４８０号公報に開示された現物硬貨返却式硬貨処理装置によれば、硬貨返却レバーを操作して硬貨を返却する場合、現実に投入された投入硬貨そのものを払出すので、仮に硬貨選別部により正貨と見做されるほど精巧に偽造された硬貨（偽貨）が投入された場合でも、その投入硬貨（偽貨）そのものが硬貨返却口へ払出されるので、硬貨のすり替え現象の発生は可及的に解消されることとなる。
【００１４】
なお、従来では、上述した特開平１１−２８８４８０号公報に開示されたもの以外に、硬貨通路の通路長に応じて複数枚の高額の硬貨を一時保留し、商品が購入されることなく返却レバーが操作された際は、一時保留されたその複数枚の硬貨を一時に硬貨返却口へ返却させるようにしたものもある。
【００１５】
【発明が解決しようとする課題】
一方、硬貨処理装置においては上述した硬貨のすり替え現象の発生防止とともに、スタンガン等を使用した悪戯時における被害を最小限とするため、釣り銭としてコインチューブ内に予め収容する高額の硬貨の枚数を出来るだけ少なく設定することが望まれているが、上述した特開平１１−２８８４８０号公報に開示された現物硬貨返却式硬貨処理装置によれば、商品が購入された後は、一時保留された高額の硬貨を単にコインチューブ内に収容する構造であるため、必要以上に高額の硬貨がコインチューブ内に収容されこととなり、このためスタンガン等を使用した悪戯等により硬貨処理装置が誤動作すると、高額の硬貨が払い出されてその被害は甚大なものとなる。
【００１６】
この発明は、上述した事情に鑑み、複数枚硬貨を一時保留する場合の硬貨のすり替え現象を可及的に防止するとともに、一時保留後、硬貨収容部内に収容される硬貨の収容枚数を任意に設定することができるようにした硬貨処理装置を提供することを目的とする。
【００１７】
【課題を解決するための手段】
上述した課題を解決するため、この発明では、投入硬貨の正偽および正貨の金種を判別する硬貨判別手段と、判別された正貨を金種別に格別の硬貨通路へ振り分ける複数の金種振分手段と、該少なくとも１つの硬貨通路の下流に配設され、該少なくとも１つの硬貨通路に案内された複数枚の硬貨を一時保留する硬貨保留手段と、該硬貨保留手段の下流に配設され、前記硬貨保留手段から落下する硬貨を積載収容するコインチューブからなる硬貨収容手段とを具えた硬貨処理装置において、前記硬貨保留手段は保留した複数枚の硬貨を一枚ずつ間欠的に落下させる硬貨保留レバーからなり、また該硬貨保留手段の下流には、前記硬貨保留レバーにより一枚ずつ落下する硬貨を、返却通路と硬貨収容手段側へ振り分ける第１の硬貨振り分けレバーが配設され、さらに、該第１の硬貨振り分けレバーの下流には、該第１の硬貨振り分けレバーにより前記硬貨収容手段側へ振分られた硬貨を、該硬貨収容手段と金庫とへ振り分ける第２の硬貨振り分けレバーが配設されるとともに、前記一時保留手段へ保留された複数枚の硬貨のうち収容すべき硬貨の枚数を決定し、該収容すべき枚数の硬貨のみを硬貨収容手段側へ振り分けるように前記第１の硬貨振分けレバーにより硬貨を振り分け、前記硬貨収容手段に予め設定された蓄積枚数に基づいて、該硬貨収容手段側へ振分けられた硬貨を金庫側へ振分けるように前記第２の硬貨振分けレバーにより硬貨を振分け制御する制御装置を備えている。
【００１８】
【発明の実施の形態】
以下、この発明に係わる硬貨処理装置の一実施例を詳述する。
【００１９】
図１はこの発明に係わる硬貨処理装置１の概念斜視図である。
【００２０】
この硬貨処理装置１も、従来と同様に大別すると次の４部分から構成されている。
【００２１】
即ち、この硬貨処理装置１も筐体を構成する装置本体２と、この装置本体２の最上部に配設され、硬貨投入口３から投入された投入硬貨の正偽と正貨の金種を選別する硬貨選別部４と、この硬貨選別部４の下方に配設され、硬貨選別部４により選別された正貨を金種別にそれぞれ収容する複数のコインチューブからなる硬貨収容部５と、この硬貨収容部５の下方に配設され、釣り銭の額に応じて硬貨収容部５から正貨を払出す硬貨払出部６とから構成されている。
【００２２】
なお、図１で符号７は、特に使用頻度の高い硬貨を予め収容しておく補助チューブ、符号８は硬貨処理装置１内に進入した液物（洗剤等の液体）を外部へ排除する液物排出チューブである。
【００２３】
次に、上述した硬貨処理装置１の硬貨選別部４を詳述する。
【００２４】
図２は、硬貨処理装置１の要部概念正面図である。
【００２５】
この硬貨処理装置１の硬貨選別部４は、基本的に、互いに径の相異なる４種類のＡ正貨（５００円硬貨）、Ｂ正貨（１０円硬貨）、Ｃ正貨（１００円硬貨）、Ｄ正貨（５０円硬貨）と偽貨との選別を行うものである。
【００２６】
この硬貨選別部４の硬貨投入口３直下には図面の右方向に傾斜した硬貨判別通路１０が形成され、その途中には硬貨の正偽と、正貨の金種とを判別する硬貨判別センサ１１が配設されている。
【００２７】
一方、この硬貨判別通路１０の終端には、該硬貨判別通路１０から転送された硬貨を正偽貨に振分、正貨と偽貨とを格別の硬貨通路へ案内する正偽貨振分部である正偽貨振り分けレバー１２が配設されている。
【００２８】
なお、この正偽貨振り分けレバー１２は下端の軸１２ａを中心に上端が図面に対し垂直方向に開閉するタイプの振り分けレバーである。
【００２９】
そしてこの正偽貨振り分けレバー１２により、前記硬貨判別通路１０の終端は、投入された硬貨のうち偽貨を案内する偽貨排出通路１３と、正貨と見做された硬貨のみを案内する第１の硬貨選別通路１４とに分岐されている。
【００３０】
一方、この正偽貨判別硬貨通路１０の終端に形成された硬貨通路のうち、偽貨排出通路１３は、メインプレート２０の正面側、すなわち、図１で示す硬貨選別部４の正面側に形成された硬貨排出シュート８０（図３）に連通しており、この硬貨排出シュート８０は、図３で示すように図面の左方向に傾斜して形成されている。また、この硬貨排出シュート８０は、図示せぬ硬貨返却口に連通しており、偽貨排出硬貨通路１３に案内された偽貨Ｇは矢印で示すように硬貨排出シュート８０を介し前記硬貨返却口へ返却される。
【００３１】
また、図２で示す第１の硬貨選別通路１４には、その下流端に、該第１の硬貨選別通路１４内に転送された正貨と見做された硬貨、即ちＡ、Ｂ、Ｃ、Ｄ正貨の４種類の硬貨のうち、Ａ硬貨、Ｃ硬貨のグループと、Ｂ硬貨、Ｄ硬貨のグループとに振り分ける第１の金種振分部である第１の金種振り分けレバー１５が配設されている。
【００３２】
また、この第１の金種振り分けレバー１５により、前記第１の硬貨選別通路１４は硬貨グループＡ、Ｃのみを案内する図面の左側へ傾斜した第２の硬貨選別通路１６と、硬貨グループＢ、Ｄのみを案内する図面の右側へ若干傾斜した第３の硬貨選別通路１７とに分岐している。
【００３３】
なお、上述した第１の金種振り分けレバー１５は図２で示すように、全体として正面が略Ｌ字形状に形成されている。
【００３４】
この第１の金種振り分けレバー１５は、図２の要部概念斜視図である図４で示すように硬貨選別部４のメインプレート２０表面から突出した際に、側方にある第２の硬貨選別通路１６を開放し、また図５で示すようにメインプレート２０側に吸引された際に上述した第２の硬貨選別通路１６を閉塞する第１のゲート１５ａと、図４で示すようにメインプレート２０から突出した際に、底面にある第３の硬貨選別通路１７を閉塞し、また図５で示すようにメインプレート２０側に吸引された際に上述した第３の硬貨選別通路１７を開放する第２のゲート１５ｂとから構成されている。
【００３５】
このような第１の金種振り分けレバー１５によると、該第１の金種振り分けレバー１５が図４で示すようにメインプレート２０から突出すると、第２の硬貨選別通路１６が開放され、かつ第３の硬貨選別通路１７が閉塞するので、硬貨グループＡ、Ｃのみが第２の硬貨選別通路１６へ案内される。
【００３６】
また、第１の金種振り分けレバー１５が図５で示すようにメインプレート２０側に吸引されると第２の硬貨選別通路１６が閉塞され、かつ第３の硬貨選別通路１７が開放されるので、硬貨グループＢ、Ｄグループのみが第３の硬貨選別通路１７へ案内される。
【００３７】
一方、図２で示すように、前記第２の硬貨選別通路１６の下流端には、該第２の硬貨選別通路１６内に転送された硬貨グループＡ、Ｃを、Ａ硬貨とＣ硬貨とに振り分ける第２の金種振分部である第２の金種振り分けレバー６０が配設されている。そして、この第２の金種振り分けレバー６０により、前記第２の硬貨選別通路１６は、Ａ硬貨のみを案内する第４の硬貨選別通路６１と、Ｃ硬貨のみを案内する第５の硬貨選別通路６２とに分岐している。
【００３８】
なお、この第２の金種振り分けレバー６０は左端の軸６０ａを中心に右端６０ｂが図面に対し垂直方向に開閉するタイプの金種振り分けレバーである。
【００３９】
また、図２で示すように、前記第３の硬貨選別通路１７の下流端には、メインプレート２０の背面側に形成され、図示せぬ金庫側へ通ずる第６の硬貨選別通路６３と第７の硬貨選別通路６４とに振り分ける第３の金種振分部である第３の金種振り分けレバー６５が配設されている。
【００４０】
この第３の金種振り分けレバー６５は、後述する硬貨収容部５（図１）の各コインチューブ９２、９３、９４内にそれぞれ蓄積収容されるＣ硬貨、Ｂ硬貨またはＤ硬貨が、当該コインチューブ９２、９３、９４内で一定の蓄積枚数に達すると、それ以降に投入されるＣ硬貨、Ｂ硬貨またはＤ硬貨を、前記金庫側へ通じる第６の硬貨選別通路６３へ振分案内する。
【００４１】
なおコインチューブ９２、９３、９４内で各硬貨が一定の蓄積枚数に達したか否かの判断は各コインチューブ９２、９３、９４内の所定位置に配設されたフォトセンサー等からなる周知の満杯センサーにより検出する。
【００４２】
なお、この第３の金種振り分けレバー６５も下端の軸６５ａを中心に上端が図面に対し垂直方向に開閉するタイプの金種振り分けレバーである。
【００４３】
また、図２で示すように、第７の硬貨選別通路６４の下流端には、この第７の硬貨選別通路６４に案内される硬貨グループＢ、ＤをＢ硬貨とＤ硬貨とに振り分ける第４の金種振分部である第４の金種振分部レバー６６が配設されている。
【００４４】
この第４の金種振り分けレバー６６は、第１の金種振り分けレバー１５と同一構造のレバーであり、この第４の金種振り分けレバー６６によると、該第４の金種振り分けレバー６６がメインプレート２０から突出すると、第８の硬貨選別通路６７が開放され、かつ第９の硬貨選別通路６８が閉塞するので、Ｂ硬貨のみが第８の硬貨選別通路６７へ案内され、また、第４の金種振り分けレバー６６がメインプレート２０側に吸引されると第８の硬貨選別通路６７が閉塞され、かつ第９の硬貨選別通路６８が開放されるので、Ｄ硬貨のみが第９の硬貨選別通路６８へ案内される。
【００４５】
また、前述した第４の硬貨選別通路６１の下流には、図６で示すように、Ａ硬貨と見做され、第４の硬貨選別通路６１を通過する硬貨を複数枚（図２で示すように第４の硬貨選別通路６１の長さに対応して３枚）一時的に保留する硬貨保留レバー３１からなる硬貨保留手段３０が配設されている。
【００４６】
この硬貨保留手段３０は、図６の要部概念断面図で示す図７のように、第４の硬貨通路６１を通過するＡ硬貨と見做された硬貨を一時保留する硬貨保留レバー３１と、該硬貨保留レバー３１を駆動するソレノイド３２からなる第１の保留部駆動手段とから構成されており、このうちの硬貨保留レバー３１は、軸３１ａを中心に回動自在に支承される金属製のレバーであって、ソレノイド３２の駆動軸３２ａに連結する後端部３１ｂと、第４の硬貨選別通路６１に出没する第１の先端部３１ｃと第２の先端部３１ｄとが形成された先端部とから構成されている。また、硬貨保留レバー３１の後端部３１ｂに連結するソレノイド３２の駆動軸３２ａには、コイルバネ３３が嵌挿している。
【００４７】
このような硬貨保留手段３０によると、図７で示す初期状態では、硬貨保留レバー３１は、コイルバネ３３の付勢力により先端部が軸３１ａを中心に反時計方向に常時付勢され停止しており、第１の先端部３１ｃはメインプレート２０表面から突出して第４の硬貨選別通路６１の下流を閉塞する一方、第２の先端部３１ｄはメインプレート２０から退避して第４の硬貨選別通路６１の略中流を解放している。
【００４８】
この初期状態において、図６で示すように第４の硬貨選別通路６１にＡ硬貨が案内されると、硬貨保留レバー３１の第１の先端部３１ｃは、図６および図７で示すように、Ａ硬貨の周面を支持して当該Ａ硬貨を保留し、またさらに、当該Ａ硬貨の保留後第４の硬貨選別通路６１に複数枚（三枚）の硬貨Ａが案内されると、第１の先端部３１ｃは、図８で示すように、これら三枚のＡ硬貨を、第１の先端部３１ｃにより一時保留する。
【００４９】
また、図示せぬ制御装置からの駆動信号に基づき、図７のソレノイド３２をオンして硬貨保留レバー３１の後端部３１ｂを図面の上方に吸引すると、硬貨保留レバー３１は、図９で示すように、コイルバネ３２の付勢力に抗し軸３１ａを中心に時計方向に回転し、第１の先端部３１ｃをメインプレート２０から退避させて第４の硬貨選別通路６１の下流を解放するとともに、第２の先端部３１ｄをメインプレート２０表面に突出させて第４の硬貨選別通路６１の略中流を閉塞する。
【００５０】
すると、硬貨保留レバー３１は、複数枚のＡ硬貨を一時保留していた第１の先端部３１ｃが、図９で示すように、該複数枚のＡ硬貨の保留を解除するとともに、第２の先端部３１ｄが、第１の先端部３１ｃで支持していたＡ硬貨の直後に一時保留されていた次のＡ硬貨の周面を第４の硬貨選別通路６１の壁面６１ａと第２の先端部３１ｄとにより支持して、当該Ａ硬貨を第４の硬貨選別通路６１の略中流で一時停止させるので、これにより、Ａ硬貨１枚のみが第４の硬貨選別通路６１の下流端へ案内されることとなる。
【００５１】
なお、図９では、第２の先端部３１ｄと第４の硬貨選別通路６１の壁面６１ａとにより一時停止されている複数枚のＡ硬貨（図８）の図示を、一部省略している。
【００５２】
また、図示せぬ制御装置からの駆動信号に基づきソレノイド３２をオフすると、ソレノイド３２の駆動軸３２ａは、図７で示すようにコイルバネ３３の付勢力によってその図面の下方にスライド復帰し、硬貨保留レバー３１を軸３１ａを介し反時計方向に回転させるので、これにより、第１の先端部３１ｃはメインプレート２０表面から突出して第４の硬貨選別通路６１の下流を閉塞し、また、第２の先端部３１ｄはメインプレート２０から退避して第４の硬貨選別通路６１の略中流を解放する前記初期状態に復帰する。
【００５３】
すると、硬貨保留レバー３１の第２の先端部３１ｄは、一時停止させていたＡ硬貨の当該一時停止を解除して、一時停止していた複数枚のＡ硬貨を第４の硬貨選別通路６１の下流へ案内するとともに、第１の先端部３１ｃは、この第４の硬貨選別通路６１の下流へ案内された複数枚のＡ硬貨のうち、最下部に位置するＡ硬貨を図７で示すように支持し、支持したＡ硬貨および該Ａ硬貨より上流にある次のＡ硬貨を第４の硬貨選別通路６１に一時保留する。
【００５４】
即ち、上述した硬貨保留手段３０の硬貨保留レバー３１によると、その第１の先端部３１ｃと第２の先端部３１ｄとが交互に第４の硬貨選別通路６１内に出没することにより、当該第４の硬貨選別通路６１内に一時保留された三枚のＡ硬貨を一枚ずつ間欠的に落下させるようにしている。
【００５５】
一方、図２で示す硬貨保留手段３０の下流である第４の硬貨選別通路６１の下流端には、図７で示すように、第４の硬貨選別通路６１の真下に形成される第１１の硬貨選別通路６９と、硬貨収容部５の正面側に形成され、かつ、硬貨排出シュート８０（図３）に連通する第１の硬貨返却通路７０とが形成されている。
【００５６】
また、図２および図７から明らかなように、第４の硬貨選別通路６１の下流端には、当該第４の硬貨選別通路６１の下流端に案内されたＡ硬貨を、前記第１１の硬貨選別通路６９と、硬貨排出シュート８０（図３）に連通する前記第１の硬貨返却通路７０とのいずれか一方へ振り分ける第１の振分手段である第１の硬貨振り分けレバー３５が配設されている。
【００５７】
この第１の硬貨振り分けレバー３５は、Ａ硬貨の一時保留時に、商品を購入すること無く硬貨返却レバーが操作された場合は、図１０で示すように、第１１の硬貨選別通路６９を閉塞して第１の硬貨返却通路７０を解放する。
【００５８】
そのため、第４の硬貨選別通路６１の下流端に案内された保留Ａ硬貨は、第１の硬貨振り分けレバー３５によって、図１１で示すように、第１の硬貨返却通路７０に案内され、硬貨排出シュート８０（図３）を介し図示せぬ硬貨返却口から排出されることとなる。
【００５９】
また、この第１の硬貨振り分けレバー３５は、Ａ硬貨の一時保留時に、硬貨返却レバーが操作されることなく商品が購入された場合には、図９で示すように、第１１の硬貨選別通路６９を解放して第１の硬貨返却通路７０を閉塞する。
【００６０】
そのため、第４の硬貨選別通路６１の下流端に案内されたＡ硬貨は、そのまま下方へ落下し第１１の硬貨選別通路６９に案内される。
【００６１】
なお、上述した第１の硬貨振分手段を構成する第１の硬貨振り分けレバー３５も、下端の軸３５ａを中心に上端が図面に対し垂直方向に開閉するタイプの金種振り分けレバーであって、図示せぬソレノイドにより開閉駆動される。
【００６２】
また、上述した正偽貨振り分けレバー１２、第１乃至第４の金種振り分けレバー（１５、６０、６５、６６）、および第１の硬貨振り分けレバー３５も周知のように、図示せぬソレノイドにより開閉駆動される。
【００６３】
一方、図９で示すように、第１１の硬貨選別通路６９の下流端には、第１１の硬貨選別通路６９の真下に形成された第１３の硬貨選別通路７３と、硬貨収容部５の背面側に配設され、図示せぬ金庫に連通する第１４の硬貨選別通路７４とが形成されている。
【００６４】
次に、図２で示す硬貨処理装置１の硬貨収容部５を詳述する。
【００６５】
硬貨収容部５は、互いに径の相異なる４種類のＡ正貨、Ｂ正貨、Ｃ正貨、Ｄ正貨をそれぞれ収容する。
【００６６】
この硬貨収容部５は、Ａ硬貨を収容するコインチューブ９１と、Ｃ硬貨を収容するコインチューブ９２と、Ｂ硬貨を収容するコインチューブ９３と、Ｄ硬貨を収容するコインチューブ９４と、使用頻度の多い硬貨を予め収容する補助チューブ７とから構成されている。
【００６７】
このうち、コインチューブ９２は第１５の硬貨通路７５の下流端に配設され、コインチューブ９３は第８の硬貨選別通路６７の下流端に配設され、またコインチューブ９４は第９の硬貨選別通路６８の下流端に配設されている。
【００６８】
また、コインチューブ９１は、図７で示すように第１３の硬貨通路７３の下流端に配設されている。
【００６９】
また、コインチューブ９１の上流には、図７で示すように、第１１の硬貨選別通路６９から落下する保留Ａ硬貨をコインチューブ９１と、その背面に形成された図示せぬ金庫に通ずる第１４の硬貨選別通路７４とに振り分ける第２の硬貨振分手段を構成する第２の硬貨振り分けレバー５２が配設されている。
【００７０】
なお、この第２の硬貨振り分けレバー５２は軸５２ｃを介し硬貨収容部５に回動自在に支承され、図示せぬソレノイドおよびこのソレノイドの駆動を制御する図示せぬ制御装置により所定のタイミングで回転駆動される。
【００７１】
この第２の硬貨振り分けレバー５２は、コインチューブ９１内に蓄積されたＡ硬貨の枚数が、当該コインチューブ９１内の所定位置に配設された図示せぬ満杯検出センサーにより予め設定されたＡ硬貨の蓄積枚数よりも少ない通常時には、図７で示す初期位置の状態を維持し、これにより落下する保留Ａ硬貨をコインチューブ９１内に案内して収容する。
【００７２】
一方、この第２の硬貨振り分けレバー５２はコインチューブ９１内に蓄積されたＡ硬貨の枚数が、図示せぬ前記満杯検出センサーにより予め設定された蓄積枚数に至ったことが検出されると、その検出信号に基づき所定の回転角度回転し、その後に落下する保留Ａ硬貨を図示せぬ金庫に通ずる第１４の硬貨選別通路７４に振り分けるものである。なおこの第２の硬貨振り分けレバー５２も、周知のように、図示せぬソレノイドにより回転駆動される。
【００７３】
このような第２の硬貨振り分けレバー５２は、初期状態では図７の初期位置に停止しており、このとき、Ａ硬貨が第１１の硬貨選別通路６９の下流端に案内されると、該Ａ硬貨は、図９で示すように第１３の硬貨通路７３を介してコインチューブ９１内に案内されそこに積載収容される。
【００７４】
また、図示せぬ満杯検出センサーからの検知信号に基づき、予め設定された蓄積枚数に至ったことが検出されると、その検出信号に基づき図示せぬ制御装置は、図１２で示すように第２の硬貨振り分けレバー５２を軸５２ｃを中心に時計方向へ所定の回転角度回転する。
【００７５】
すると、第１１の硬貨選別通路６９の下流端に案内されたＡ硬貨は、図１３で示すように第２の硬貨振り分けレバー５２の背面部に沿って案内され、その後、第１４の硬貨選別通路７４を介し図示せぬ金庫内に収容される。  次に、上述した硬貨処理装置１の作用を説明し、併せて構成をより詳細に説明する。
【００７６】
図３のように、硬貨投入口３内に投入された偽貨Ｇが、硬貨判別センサ１１の検出信号に基づき偽貨と判定されると、その判定信号に基づいて正偽貨振り分けレバー１２は偽貨排出通路１３を拡開し、同時に第１の硬貨選別通路１４の上流を閉塞する。すると、硬貨判別通路１０内を転動する偽貨Ｇは正偽貨振り分けレバー１２により偽貨排出通路１３に案内され、さらにこの偽貨排出通路１３に連通する硬貨排出シュート８０を介して図示せぬ硬貨返却口に返却される。
【００７７】
次に、図６のように、硬貨投入口３内に硬貨が投入され、その硬貨が硬貨判別センサ１１の検出信号に基づき正貨であってしかもＡ硬貨と判断されると、その判定信号に基づいて図示せぬ制御装置は、正偽貨振り分けレバー１２を作動させ、第１の硬貨選別通路１４の上流を拡開する。また、同時に第１の金種振り分けレバー１５により、第２の硬貨選別通路１６の上流を拡開して第３の硬貨選別通路１７の上流を閉塞する。さらに、第２の金種振り分けレバー６０により第４の硬貨選別通路６１を拡開し、第５の硬貨選別通路６２を閉塞する。
【００７８】
さらに、図示せぬ制御装置は、硬貨判別センサ１１による検出信号に基づき投入硬貨がＡ正貨であると判断すると、図７で示すように、ソレノイド３２をオフし、これにより、コイルバネ３３の付勢力によって第１の硬貨保留レバー３１の第１の先端部３１ｃをメインプレート２０表面から突出させて第４の硬貨選別通路６１の下流を閉塞するとともに、第２の先端部３１ｄをメインプレート２０から退避させて第４の硬貨選別通路６１の略中流を開放する。
【００７９】
これにより、図６で示すように、硬貨投入口３内に投入されたＡ硬貨は、硬貨判別通路１０内を転動した後、正偽貨振り分けレバー１２により第１の硬貨選別通路１４に案内され、その後、該Ａ硬貨は第１の金種振り分けレバー１５により第２の硬貨選別通路１６に案内される。
【００８０】
その後、図６で示すように、Ａ硬貨はさらに第２の金種振り分けレバー６０により第４の硬貨選別通路６１に案内され、第１の硬貨保留レバー３１の第１の先端部３１ｃによって、第４の硬貨選別通路６１下流に一時保留される。
【００８１】
次に、硬貨投入口３から投入された硬貨が、硬貨判別センサ１１により再びＡ硬貨と見なされ第４の硬貨選別通路６１内に案内された場合には、これら複数枚のＡ硬貨は、図８で示すように、第１の先端部３１ｃにより直接支持されたＡ硬貨の上方に、次々と一時保留される。
【００８２】
なお、図８で示すように、この第４の硬貨選別通路６１ではその通路長に応じ、第１の先端部３１ｃによって直接支持される硬貨を含め、最大３枚の硬貨が一時保留される。
【００８３】
次に、このＡ硬貨の一時保留時に、硬貨処理装置１が装着された自動販売機において、商品を購入すること無く、硬貨返却レバーが操作されると、その硬貨返却レバーの操作信号に基づき、図示せぬ制御装置は、図９で示すように、第１の硬貨保留手段３０のソレノイド３２をオンし、これにより第１の硬貨保留レバー３１の第１の先端部３１ｃをメインプレート２０から待避させて第４の硬貨選別通路６１の下流を解放するとともに、第２の先端部３１ｄをメインプレート２０表面に突出させて第４の硬貨選別通路６１の略中流を閉塞する。
【００８４】
すると、第４の硬貨選別通路６１に一時保留されていた先頭のＡ硬貨は、図９で示すように、第１の先端部３１ｃによる保留が解除され、第４の硬貨選別通路６１内の下流端に案内されるとともに、第１の先端部３１ｂにより直接支持されていたＡ硬貨の上流に位置する次のＡ硬貨は、第２の先端部３０ｂと第４の硬貨選別通路６１の壁面６１ａによってその進行が停止されるので、これにより、第１の先端部３１ｃにより直接支持され一時保留されたＡ硬貨１枚のみが、第４の硬貨選別通路６１の下流端へ案内される。
【００８５】
また、硬貨返却レバーが操作されると、その硬貨返却レバーの操作信号に基づき、図示せぬ制御装置は、第１の硬貨振り分けレバー３５によって、図１０で示すように、硬貨排出シュート８０（図３）に連通する第１の硬貨返却通路７０を開放するとともに、第１１の硬貨選別通路６９を閉塞するので、第４の硬貨選別通路６１の下流端に案内されたＡ硬貨は、図１１で示すように、第１の硬貨振り分けレバー３５によって、硬貨排出シュート８０（図３）に連通する第１の硬貨返却通路７０へ振り分けられ、このＡ硬貨は、前記硬貨排出シュート８０を介し図示せぬ硬貨返却口から返却される。
【００８６】
従って、商品を購入することなく硬貨返却レバーが操作されると、このような処理が保留硬貨の枚数分行われ、間欠的に落下する全ての保留Ａ硬貨が硬貨返却口へ返却される。
【００８７】
従って、この硬貨処理装置１では、商品を購入することなく硬貨返却レバーを操作してＡ硬貨を返却する場合、現実に投入された投入硬貨、即ち一時保留Ａ硬貨そのものを硬貨返却口へ払出すので、仮に硬貨選別部４により正貨と見做されるほど精巧に製造されたＡ硬貨（偽貨）が投入された場合でも、その投入Ａ硬貨（偽貨）そのものが硬貨返却口へ払出されるので、硬貨のすり替え現象の発生は可及的に解消されることとなる。
【００８８】
一方、Ａ硬貨の一時保留時に、商品が購入された場合、この硬貨処理装置１は以下の条件毎に異なった処理を行う。
【００８９】
（ａ）Ａ硬貨の保留枚数に対応した金額の商品が購入された場合。
【００９０】
（ｂ）Ａ硬貨の保留枚数に対応した金額以下の商品が購入された場合であって、釣り銭としてＡ硬貨を払い出す場合。
【００９１】
そこで（ａ）のＡ硬貨の保留枚数に対応した金額の商品が購入された場合について詳述する。
【００９２】
Ａ硬貨の保留枚数に対応した金額の商品が購入されると、その商品購入信号に基づき、図示せぬ制御装置は図９で示すように、第１の硬貨保留手段３０のソレノイド３２をオンし、これにより第４の硬貨選別通路６１の下流に一時保留されたＡ硬貨を第４の硬貨選別通路６１の下流端へ案内する。同時に図示せぬ制御装置は第１の硬貨振り分けレバー３５を操作し、第１の硬貨返却通路７０を閉塞して第１１の硬貨選別通路６９を解放し、これにより、第４の硬貨選別通路６１の下流端に案内されたＡ硬貨を第１１の硬貨選別通路６９に案内する。
【００９３】
その後、第１１の硬貨選別通路６９の下流端に案内されたＡ硬貨は第１３の硬貨選別通路７３に案内され、その後、図１４で示すように該コインチューブ９１内に積載収容され、このような処理が保留Ａ硬貨の枚数分行われる。
【００９４】
なお、コインチューブ９１内へのＡ硬貨の収容中に、当該コインチューブ９１内に配設された満杯検出センサーにより一定枚数のＡ硬貨が収容されたことが検出されると、それ以降に第１１の硬貨選別通路６９の下流端に案内されたＡ硬貨は図１３で示すように、第２の硬貨振り分けレバー５２により第１４の硬貨選別通路７４へ案内され、そこから図１５で示すように図示せぬ金庫内に収容され、必要以上のＡ硬貨がコインチューブ９１内に収容されることはない。
【００９５】
次に（ｂ）Ａ硬貨の保留枚数に対応した金額以下の商品が購入された場合であって、釣り銭としてＡ硬貨を払い出す場合について詳述する。
【００９６】
まず、図示せぬ制御装置は、その商品購入信号に基づく商品の金額情報と、予め保留している保留Ａ硬貨の枚数に対応した金額情報に基づいて釣り銭の額を算出し、同時に保留している複数枚のＡ硬貨の枚数のうち収容すべきＡ硬貨の枚数を決定する。
【００９７】
その後、その図９で示すように、図示せぬ制御装置は第１の硬貨保留手段３０のソレノイド３２をオンし、これにより第４の硬貨選別通路６１の下流に一時保留された複数枚のＡ硬貨のうち先頭のＡ硬貨を第４の硬貨選別通路６１の下流端へ案内する。同時に図示せぬ制御装置は第１の硬貨振り分けレバー３５を操作し、第１の硬貨返却通路７０を閉塞して第１１の硬貨選別通路６９を解放し、これにより、第４の硬貨選別通路６１の下流端に案内された一枚のＡ硬貨を第１１の硬貨選別通路６９に案内し、その後、図１４で示すようにＡ硬貨をコインチューブ９１内に積載収容する。そしてこのような処理が予め決定された収容すべきＡ硬貨の枚数分間欠的に行われる。なおその間であっても、コインチューブ９１内へのＡ硬貨の収容中に、当該コインチューブ９１内に配設された満杯検出センサーにより一定枚数のＡ硬貨が収容されたことが検出されると、それ以降に第１１の硬貨選別通路６９の下流端に案内されたＡ硬貨は図１３で示すように、第２の硬貨振り分けレバー５２により第１４の硬貨選別通路７４へ案内され、そこから図１５で示すように図示せぬ金庫内に収容され、必要以上のＡ硬貨がコインチューブ９１内に収容されることはない。
【００９８】
一方、上述した、収容すべきＡ硬貨の枚数分収容する処理が行われた後、依然として第１の硬貨保留手段３０によりＡ硬貨が保留されている場合に、硬貨返却レバーが操作されると、図１１で示したのと同様の処理により第１の硬貨保留手段３０に保留されているＡ硬貨は全て返却口へ返却される。
【００９９】
従って、この硬貨処理装置１では、商品を購入することなく硬貨返却レバーを操作する場合に、現実に投入された複数枚の一時保留Ａ硬貨そのものを硬貨返却口へ払出しするだけでなく、商品を購入した後であって、しかも保留Ａ硬貨がある場合に、硬貨返却レバーが操作されると、その保留Ａ硬貨は全て返却口へ返却することとなる。
【０１００】
これは、第１の硬貨保留手段３０により保留Ａ硬貨を間欠的に一枚ずつ落下させることにより、落下する各Ａ硬貨毎に異なった制御を行うことができるから達成できることであり、複数枚の保留Ａ硬貨を一時に落下させる従来構造のものでは、その後の各Ａ硬貨の処理を各硬貨毎に異なって制御することはできないことからも明らかである。
【０１０１】
なお、この硬貨処理装置１では、上述したように第４の硬貨選別通路６１内に、最大３枚のＡ硬貨を一時保留できるが、Ａ硬貨を３枚一次保留した後、硬貨投入口３からＡ硬貨が投入されると、図示せぬ制御装置は、前記偽貨Ｇを排出する場合と同様の処理を行う。すなわち、図示せぬ制御装置は、この投入されたＡ硬貨を正偽貨振り分けレバー１２によって偽貨排出通路１３に案内し、図示せぬ硬貨返却口から返却する。
【０１０２】
次に、図１６で示すように、硬貨投入口３から硬貨が投入され、その硬貨が、硬貨判別センサ１１の検出信号に基づきＣ硬貨と判断されると、その判定信号に基づいて図示せぬ制御装置は、正偽貨振り分けレバー１２を作動させ、偽貨排出硬貨通路１３の上流を閉塞して第１の硬貨選別通路１４の上流を拡開する。また、同時に第１の金種振り分けレバー１５を作動させ、第２の硬貨選別通路１６の上流を拡開して第３の硬貨選別通路１７の上流を閉塞する。さらに、第２の金種振り分けレバー６０が作動し第４の硬貨選別通路６１を閉塞して第５の硬貨選別通路６２を拡開する。
【０１０３】
従って、硬貨投入口３から投入され、Ｃ硬貨と判断された硬貨は第５の硬貨選別通路６２の下流端に案内され、その後、第１５の硬貨選別通路７５に案内されてコインチューブ９２内に積載収容される。
【０１０４】
次に、図１７のように、硬貨投入口３から硬貨が投入され、その硬貨が硬貨判別センサ１１の検出信号に基づきＢ硬貨と判断されると、その判定信号に基づいて図示せぬ制御装置は、正偽貨振り分けレバー１２を作動させ、図２の偽貨払出硬貨通路１３の上流端を閉塞して第１の硬貨選別通路１４の上流端を拡開するとともに、同時に第１の金種振り分けレバー１５を作動し第２の硬貨選別通路１６の上流端を閉塞して第３の硬貨選別通路１７の上流端を拡開する。
【０１０５】
また、図示せぬ制御装置は、同時に第３の金種振り分けレバー６５を作動させ、第６の硬貨選別通路６３の上流端を閉塞して第７の硬貨選別通路６４の上流端を拡開し、さらに、同時に第４の金種振り分けレバー６６を作動させて第８の硬貨選別通路６７を開放して第９の硬貨選別通路６８を閉塞する。
【０１０６】
そのため、硬貨判別通路１０内を転動するＢ硬貨は、図１７で示すように正偽貨振り分けレバー１２により第１の硬貨選別通路１４内に案内された後、さらに第１の金種振り分けレバー１５により下方の第３の硬貨選別通路１７に案内され、その後第３の金種振り分けレバー６５によって第７の硬貨選別通路６４に案内され、さらにその後、第４の金種振り分けレバー６６によって第８の硬貨選別通路６７に案内されて第８の硬貨選別通路６７の下方から落下しコインチューブ９３内に蓄積収容される。
【０１０７】
次に、図１８のように、硬貨投入口３から硬貨が投入され、その硬貨が硬貨判別センサ１１の検出信号に基づきＤ硬貨と判断されると、その判定信号に基づいて図示せぬ制御装置は、正偽貨振り分けレバー１２を作動させ、偽貨払出硬貨通路１３の上流端を閉塞して第１の硬貨選別通路１４の上流端を拡開するとともに、同時に第１の金種振り分けレバー１５を作動させ、第３の硬貨選別通路１７の上流端を拡開して第２の硬貨選別通路１６の上流端を閉塞する。
【０１０８】
さらに、図示せぬ制御装置は同時に第３の金種振り分けレバー６５を作動させ、第７の硬貨選別通路６４の上流端を開放して第６の硬貨選別通路６３の上流端を閉塞する。また図示せぬ制御装置は、同時に第４の金種振り分けレバー６６を作動させ、第８の硬貨選別通路６７の上流端を閉塞して第９の硬貨選別通路６８の上流端を開放する。
【０１０９】
そのため、硬貨判別通路１０内を転動するＤ硬貨は正偽貨振り分けレバー１２により第１の硬貨選別通路１４内に案内された後、第１の金種振り分けレバー１５により下方の第３の硬貨選別通路１７に案内され、その後、第３の金種振り分けレバー６５により第７の硬貨選別通路６４に案内され、さらにその後、第４の金種振り分けレバー６６により第９の硬貨選別通路６８に案内されて第８の硬貨選別通路６８の下方から落下しコインチューブ９４内に蓄積収容される。
【０１１０】
一方、この各コインチューブ９１、９２、９３、９４毎に蓄積されるＡ、Ｃ、Ｂ、Ｄ硬貨の枚数が一定収容枚数を越えるとオーバーフローすることとなるが、特にＡ硬貨の場合は前述した図１３のように、第２の硬貨振り分けレバー５２により、コインチューブ９１に配設された満杯検出センサーにより予め設定された蓄積枚数に至った後に落下するＡ硬貨は、コインチューブ９１内に収容されることなく金庫内に収容することでオーバーフロー処理が行われる。
【０１１１】
一方、Ａ硬貨を除くＣ、Ｂ、Ｄ硬貨の収容枚数が一定収容枚数を越えた際のオーバーフロー処理は以下のようになる。
【０１１２】
コインチューブ９１を除くコインチューブ９２、９３、９４毎に配設された満杯検出センサーによってコインチューブ９２、９３、９４毎に、その収容されたＣ、Ｂ、Ｄ硬貨の枚数が、それぞれ一定枚数に達したことが検知された後、オーバーフロー対象の投入硬貨が投入されると、その硬貨を直ちに金庫側へ収容させるようにしている。
【０１１３】
そこで、仮にＢ硬貨を収容するコインチューブ９３内に蓄積収容された硬貨の収容枚数が一定枚数に達したと図示せぬ満杯検出センサーにより検出されたと仮定すると、上述した硬貨選別部４は以下のような選別動作を行う。
【０１１４】
図１９のように、硬貨投入口３から硬貨が投入され、その硬貨が硬貨判別センサ１１の検出信号に基づきＢ硬貨と判断され、かつ満杯検出センサーによりコインチューブ９３内に収容されたＢ硬貨の枚数が一定枚数に達したことが検知されると、これらの判定信号に基づいて図示せぬ制御装置は、正偽貨振り分けレバー１２を作動させ、偽貨払出硬貨通路１３の上流端を閉塞して第１の硬貨選別通路１４の上流端を拡開するとともに、同時に第１の金種振り分けレバー１５を作動させ、第３の硬貨選別通路１７の上流端を拡開して第２の硬貨選別通路１６の上流端を閉塞する。また制御装置は、同時に第３の金種振り分けレバー６５を作動させ、第６の硬貨選別通路６３の上流端を拡開して第７の硬貨選別通路６４の上流端を閉塞する。
【０１１５】
すると、図２０の如く、硬貨判別通路１０内を転動するＢ硬貨は正偽貨振り分けレバー１２により図２の第１の硬貨選別通路１４内に案内され、さらにこのＢ硬貨は第１の金種振り分けレバー１５により下方の第３の硬貨選別通路１７に案内される。さらにこのＢ硬貨は、第３の金種振り分けレバー６５により第６の硬貨選別通路６３内に案内され、第６の硬貨選別通路６３の下方に落下して、第６の硬貨選別通路６３に連通する図示せぬ金庫内に直ちに収容される。
【０１１６】
また、仮にＤ硬貨を収容するコインチューブ９４内に蓄積収容された硬貨の収容枚数が一定枚数に達したと図示せぬオーバーフロー検出手段により検出されたと仮定すると、上述した硬貨選別部４は、以下のような選別動作を行う。
【０１１７】
図２１のように、硬貨投入口３から硬貨が投入され、その硬貨が硬貨判別センサ１１の検出信号に基づきＤ硬貨と判断され、かつオーバーフロー検出手段によりコインチューブ９４内に収容されたＤ硬貨の枚数が一定枚数に達したことが検知されると、これらの判定信号に基づいて図示せぬ制御装置は、正偽貨振り分けレバー１２を作動させ、図２の偽貨払出硬貨通路１３の上流端を閉塞して第１の硬貨選別通路１４の上流端を拡開するとともに、同時に第１の金種振り分けレバー１５を作動させ、第３の硬貨選別通路１７の上流端を拡開して第２の硬貨選別通路１６の上流端を閉塞する。また制御装置は、同時に第３の金種振り分けレバー６５を作動させ、第６の硬貨選別通路６３の上流端を拡開して第７の硬貨選別通路６４の上流端を閉塞する。
【０１１８】
すると、図２１の如く、硬貨判別通路１０内を転動するＤ硬貨は正偽貨振り分けレバー１２により図２の第１の硬貨選別通路１４内に案内された後、第１の金種振り分けレバー１５により下方の第３の硬貨選別通路１７に案内される。また、このＤ硬貨はさらに第３の金種振り分けレバー６５により第６の硬貨選別通路６３内に案内された後、第６の選別通路６３の下方に落下して第６の硬貨選別通路６３に連通する図示せぬ金庫内に直ちに収容される。
【０１１９】
同様に、オーバーフロー対象のＣ硬貨が投入されると前述したのと同様に、当該オーバーフロー対象のＣ硬貨は直ちに金庫側へ収容される。
【０１２０】
前述で、オーバーフロー処理は、前記各コインチューブ９１、９２、９３、９４毎に配設された満杯検出センサーが、各々の所定枚数に達したことを直接検出することで説明したが、例えば、自動販売機側の主制御で予め設定された釣り銭枚数に各コインチューブの硬貨収容枚数が達した場合、以後の投入硬貨枚数を金庫側へ導くようにしてもよい。
【０１２１】
【発明の効果】
以上説明したように、発明の硬貨処理装置によると、複数枚の硬貨を一時保留する硬貨保留手段を保留した硬貨を一枚ずつ間欠的に落下させる硬貨保留レバーにより構成し、またこの硬貨保留手段の下流に、硬貨保留レバーにより一枚ずつ落下する硬貨を、返却通路と前記硬貨収容手段とへ振り分ける第１の硬貨振分手段を配設し、さらに、該第１の硬貨振分手段の下流に、該第１の硬貨振分手段により硬貨収容手段へ振り分けられた硬貨を、該硬貨収容手段と金庫とへ振り分ける第２の硬貨振分手段を配設するようにしたので、硬貨のすり替え現象の発生防止とともに、釣り銭としてコインチューブ内に予め収容する高額の硬貨の枚数を出来るだけ少なく設定し、いたずら時における被害を最小限にすることができる。
【図面の簡単な説明】
【図１】図１はこの発明に関わる硬貨処理装置の概念斜視図。
【図２】図２はこの発明に関わる硬貨処理装置の要部概念正面図。
【図３】図３はこの発明に関わる硬貨処理装置の要部概念正面図で、偽貨の硬貨処理を示す図。
【図４】図４は図２の要部概念斜視図で第１の金種振り分けレバーの動作を示す図。
【図５】図５は図２の要部概念斜視図で第１の金種振り分けレバーの動作を示す図。
【図６】図６は図１の硬貨処理装置の要部概念正面図であってＡ硬貨の硬貨処理を示す図。
【図７】図７は図６の要部概念断面図で、硬貨保留手段、第１の振分手段および第２の振分手段の動作を示す図。
【図８】図８は図１の硬貨処理装置を示す要部概念正面図であってＡ硬貨の硬貨処理を示す図。
【図９】図９は図１の硬貨処理装置の硬貨保留手段、第１の振分手段および第２の振分手段の動作を示す概念断面図。
【図１０】図１０は図１の硬貨処理装置の硬貨保留手段、第１の振分手段および第２の振分手段の動作を示す概念断面図。
【図１１】図１１は図１の硬貨処理装置の硬貨保留手段、第１の振分手段および第２の振分手段の動作を示す概念断面図。
【図１２】図１２は図１の硬貨処理装置の硬貨保留手段、第１の振分手段および第２の振分手段の動作を示す概念断面図。
【図１３】図１３は図１の硬貨処理装置の硬貨保留手段、第１の振分手段および第２の振分手段の動作を示す概念断面図。
【図１４】図１４は図１の硬貨処理装置の要部概念正面図であってＡ硬貨の硬貨処理を示す図。
【図１５】図１５は図１の硬貨処理装置の要部概念正面図であってＡ硬貨の硬貨処理を示す図。
【図１６】図１６は図１の硬貨処理装置の要部概念正面図であってＣ硬貨の硬貨処理を示す図。
【図１７】図１７は図１の硬貨処理装置の要部概念正面図であってＢ硬貨の硬貨処理を示す図。
【図１８】図１８は図１の硬貨処理装置の要部概念正面図であってＤ硬貨の硬貨処理を示す図。
【図１９】図１９は図１の硬貨処理装置の要部概念正面図であって、Ｂ硬貨の硬貨処理を示す図。
【図２０】図２０は、図１の硬貨処理装置の要部概念正面図であって、Ｂ硬貨の硬貨処理を示す図。
【図２１】図２１は図１の硬貨処理装置の要部概念正面図であって、Ｄ硬貨の硬貨処理を示す図。
【符号の説明】
１…硬貨処理装置
５…硬貨収容手段
１１…硬貨判別手段
１６、６０、６５、６６…金種振分手段
１４、１６、１７、６１、６２、６７、６８、６９、７１、７３、７４、７５、７６…格別の硬貨通路
３０…硬貨保留手段
３１…硬貨保留レバー
３５…第１の硬貨振り分けレバー
５２…第２の硬貨振り分けレバー
９１、９２、９３、９４…複数のコインチューブからなる硬貨収容手段
７０、７２…返却通路
【図１】
0003869614.tif 000002
【図２】
0003869614.tif 000003
【図３】
0003869614.tif 000004
【図４】
0003869614.tif 000005
【図５】
0003869614.tif 000006
【図６】
0003869614.tif 000007
【図７】
0003869614.tif 000008
【図８】
0003869614.tif 000009
【図９】
0003869614.tif 000010
【図１０】
0003869614.tif 000011
【図１１】
0003869614.tif 000012
【図１２】
0003869614.tif 000013
【図１３】
0003869614.tif 000014
【図１４】
0003869614.tif 000015
【図１５】
0003869614.tif 000016
【図１６】
0003869614.tif 000017
【図１７】
0003869614.tif 000018
【図１８】
0003869614.tif 000019
【図１９】
0003869614.tif 000020
【図２０】
0003869614.tif 000021
【図２１】
0003869614.tif 000022